(57)【要約】      （修正有）【課題】紫外線による退色・劣化が激しい建物の窓サッシ内側近辺の室内の床面に、隙間なく敷き詰られる敷物を提供する。【解決手段】絨毯、カーペット、長尺床シート材等１を、掃き出し窓サッシ３の最下部の床材に接する部分ぎりぎりに敷くため、窓下用敷物１の窓サッシ側の形状は掃き出し窓サッシ３の最下部の床材に接する部分付近の形状に合わせてあらかじめ切断する。さらにその切断面は、毛糸等を巻きつけるオーバーロック、テープを被せるテープロック、帯布を被せるヘムロック、熱で切断するヒートカット等２の、一般的な敷物の端部処理を用いる。【選択図】図１
0003158078.tif 000002
【実用新案登録請求の範囲】
【請求項１】
窓サッシ等の下部で、その床形状に合わせて切断、成型された敷物。
【考案の詳細な説明】
【技術分野】
【０００１】本考案は、窓サッシ直下の床の日焼け防止等を目的とする敷物の利用に関する。
【背景技術】
【０００２】敷き詰めカーペット等では、窓サッシ直下の床面までを含んだ部屋全体に敷き詰める、単なる方形で構成されたものが一般的だが、窓サッシ直下だけをその形状に合わせて変形させて成型している敷物は存在しない。方形、円形のマットで代用している。
【考案の概要】
【考案が解決しようとする課題】
【０００３】建物の窓サッシとカーテンとの間の床面は、日中絶えず日光の紫外線を浴びており、カーテンより室内側の床に比べ退色・劣化が激しい。また、従来の敷物においては、窓サッシ直下部分をその形状に合わせて変形させて成型しているものがないため、そのまま床面の窓側ぎりぎりに敷くことができなかった。その為、使用者が適当にサッシの出張りに合わせて切断しなければならず、切断面が解れたり、見苦しかったりしていた。
本考案は窓サッシ直下部分を、その出張りに合わせて切断した成型を行っているため、床面の窓側ぎりぎりに敷くことができるような敷物を安価に提供することを目的とする。
【課題を解決するための手段】
【０００４】絨毯・カーペット・長尺床シート材等を、窓サッシ及びカーテン類の周囲の床面に設置するため、窓側は窓サッシ直下の床形状に合わせて切断し、カーテン類側は、カーテン類の床に接近している部分よりも一回り大きく切断する。
その切断面は、毛糸等を巻きつけるオーバーロック、テープを被せるテープロック、帯布を被せるヘムロック、熱で切断するヒートカット等の、一般的な床材の端部処理を用いる。
【考案の効果】
【０００５】本考案の遮光率ほぼ１００％の絨毯・カーペット・長尺床シート材等を、窓サッシ直下の床面形状に合わせて設置することにより、窓サッシとカーテン類との間の床面は隙間なく覆われ紫外線から保護される。
窓直下の床形状に成型した敷物を設置することで、窓サッシを開放した場合の塵・埃等の侵入、人・ペット等の出入りによる汚れを防止できる。
また、室内側から窓サッシとカーテン類を見たとき、欧米では常識の上飾りと同様に、左右のカーテンを結ぶことによる一体感の向上により、意匠性も向上する。
【図面の簡単な説明】
【０００６】
【図１】窓直下の床形状に成型した敷物の一例
【図２】窓直下の床形状に成型した敷物の一例
【考案を実施するための形態】
【０００７】本考案図面を参照しながら説明する。
【実施例】
【０００８】本考案の好ましい一例が図１に示した敷物であり、図２は角部分を曲線に成型し、より意匠性を考慮した一例である。
【符号の説明】
【０００９】１  絨毯・カーペット・長尺床シート材等
２  オーバーロック・テープロック・ヘムロック等
３  サッシ
４  柱
５  室内側壁
６  木枠
【図１】
0003158078.tif 000003
【図２】
0003158078.tif 000004
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
掃き出し窓サッシ付近に設置される絨毯・カーペット・長尺床シート等の敷物であって、その一部を室内側壁よりも室外側に出っ張った掃き出し窓サッシの最下部の床材に接する部分付近の床形状に合わせてあらかじめ切断、成型、端部処理してなる敷物。
【手続補正２】
【補正対象書類名】明細書
【補正対象項目名】０００１
【補正方法】変更
【補正の内容】
【０００１】本考案は、窓サッシ、特に掃き出し窓サッシの最下部の床材に接する部分の床面付近の日焼け防止等を目的とする絨毯・カーペット・長尺床シート等の敷物の提供に関する。
【手続補正３】
【補正対象書類名】明細書
【補正対象項目名】０００２
【補正方法】変更
【補正の内容】
【０００２】一般的な住宅の窓サッシ（３）廻りの構成は、住宅の平面図（図１、図２）で見るところの構造材である柱（４）などの中心よりも数センチメートル室外側に窓サッシ（３）を取り付け、柱（４）などの室内側を向いた面に室内側の壁（５）材料を張っている。そして、室内側壁面（５）と窓サッシ（３）面は木枠（６）によって連結されている。窓サッシが掃き出し窓（３）である場合、その最下部の床材に接する部分付近の床の平面形状は、木枠（６）の分だけ室内側壁面（５）より室外側に出っ張っており凸型になっている。
【手続補正４】
【補正対象書類名】明細書
【補正対象項目名】０００３
【補正方法】変更
【補正の内容】
【０００３】建物の掃き出し窓サッシ（３）の最下部の床材に接する部分付近の室内床面は、ガラス越しでも日中絶えず日光の紫外線を浴びており、掃き出し窓サッシ（３）より遠方の室内側の床面に比べ退色・劣化が激しく、また冬場など、掃き出し窓サッシ（３）の室内側ガラス面に付着し流れ落ちた水滴によっても掃き出し窓サッシ（３）直下の床面は痛みやすく、さらには掃き出し窓サッシ（３）を開放した場合、外からの塵・埃等が掃き出し窓サッシ（３）直下の床面に溜まりやすく、人・ペット等の出入りによる床面の汚れも生じやすい。それなのに、従来の敷物においては、室内側壁面（５）に合わせた寸法で部屋全体に敷き詰める、単なる方形で構成されたものが一般的であり、掃き出し窓サッシ（３）の最下部の床材に接する部分付近をその形状に合わせて変形させて成型しているものがないため、そのまま床面の掃き出し窓サッシ（３）の最下部の床材に接する部分ぎりぎりまで敷くことができなかった。その為、使用者が適当に掃き出し窓サッシ（３）の最下部の床材に接する部分付近の形状に合わせて、はさみやカッターナイフ等で切断しなければならず、労力を要し、切断面が解れたり、見苦しかったりしていた。
【手続補正５】
【補正対象書類名】明細書
【補正対象項目名】０００４
【補正方法】変更
【補正の内容】
【０００４】これらの課題を解決するために、絨毯、カーペット、長尺床シート材等（１）を、掃き出し窓サッシ（３）の最下部の床材に接する部分ぎりぎりに敷くことが要求されるが、本考案の窓下用敷物（１）の窓サッシ側の形状は掃き出し窓サッシ（３）の最下部の床材に接する部分付近の形状に合わせてあらかじめ切断し、その切断面は、毛糸等を巻きつけるオーバーロック、テープを被せるテープロック、帯布を被せるヘムロック、熱で切断するヒートカット等（２）の、一般的な敷物の端部処理を用いることで解決できる。
【手続補正６】
【補正対象書類名】明細書
【補正対象項目名】０００５
【補正方法】変更
【補正の内容】
【０００５】：本考案の遮光率ほぼ１００％の絨毯・カーペット・長尺床シート材等（１）を、掃き出し窓サッシ（３）の最下部の床材に接する部分付近の形状に合わせて設置することにより、掃き出し窓サッシ（３）直前の床面は紫外線から保護され、退色・劣化から守られる。また、掃き出し窓サッシ（３）の最下部の床材に接する部分付近の形状に成型した敷物（１）を設置することで、掃き出し窓サッシのガラス面からの水滴落下もこの敷物（１）で受けるため床面を痛めることなく、さらに、掃き出し窓サッシ（３）を開放した場合の外からの塵・埃等の侵入を吸着し、人・ペット等の出入りによる床面の汚れを防止できる。また本考案にかかる敷物（１）は端部処理（２）がなされているため、端部は丈夫で簡単には解れることもない。
【手続補正７】
【補正対象書類名】明細書
【補正対象項目名】０００６
【補正方法】変更
【補正の内容】
【０００６】
【図１】は、掃き出し窓サッシの最下部の床材に接する部分付近の床形状に成型した小型の敷物の一例
【図２】は、掃き出し窓サッシの最下部の床材に接する部分付近の床形状に成型した小型の敷物の一例
【手続補正８】
【補正対象書類名】明細書
【補正対象項目名】０００９
【補正方法】変更
【補正の内容】
【０００９】１  絨毯・カーペット・長尺床シート材等
２  オーバーロック・テープロック・ヘムロック等
３  窓サッシ若しくは掃き出し窓サッシ
４  柱
５  室内側壁
６  木枠